【手続補正書】
【提出日】平成16年5月20日(2004.5.20)
【手続補正１】
【補正対象書類名】明細書
【補正対象項目名】０００２
【補正方法】変更
【補正の内容】
【０００２】
【従来の技術】
挿入された通帳を機内の所定位置まで搬送し、必要に応じて頁めくりをして、印字処理等を行う従来の通帳処理装置には、搬送路の途中に頁めくり機構を備えたものがある。
頁めくり機構は、図１０に示すように、頁めくり領域の前後に設けられた通常の搬送ローラ３11，３12の間に、搬送面よりも上側において、ソレノイド等の昇降手段に結合されためくりローラを有してなるものである。めくりローラは、上頁めくり用めくりローラＲａと下頁めくり用めくりローラＲｂの１対が設けられ、それぞれ自由回転方向を異にする一方向クラッチを内蔵している。
そして、搬送ローラ３11，３12をともに回転させたまま、見開き状態の通帳Ｍを搬送手段により頁めくり領域まで搬送し｛図１０（ａ）｝、一方のめくりローラＲａを通帳のめくり頁面に下降押圧した状態で、その通帳をさらにそのめくりローラＲａに向けて移動する｛図１０（ｂ）｝ことにより、めくりローラＲａに摩擦係止されている中紙Ｐｍを十分に撓ませ｛図１０（ｃ）｝、その後、めくりローラＲａを上方に離間させることにより｛図１０（ｄ）｝、その中紙Ｐｍを反転させて｛図１０（ｅ）｝、１頁分の頁めくりを達成するように構成してある。さらに他の頁をめくる場合は、通帳を反対方向（図において左方向）に搬送し、再び（ａ）〜（ｅ）の動作を繰り返す。
【手続補正２】
【補正対象書類名】明細書
【補正対象項目名】０００４
【補正方法】変更
【補正の内容】
【０００４】
上記の事情に鑑み、本件出願人は、先の特許出願（特願平１０−１６０５３号明細書において、通帳を一定位置に停止したまま所定頁まで連続的にめくることができるようにした、次のような通帳処理装置を提案した。
すなわち、摩擦係数の大きい送りローラと、この送りローラに対して昇降自在に設けられた押えローラとからなり、通帳搬送方向に通帳の１頁の幅より僅かに小さな間隔をもって設けられた２組の搬送兼めくりローラと、前記搬送兼めくりローラの送りローラをそれぞれ独立に一方向又は他方向の回転をさせる回転駆動手段と、各対の搬送兼めくりローラの押えローラを送りローラに対して押圧・離間させる押えローラ昇降手段と、各搬送兼めくりローラの近傍において通帳をその上面から搬送面に対して押圧し、又は押圧を解除する頁押え手段と、前記各回転駆動手段、前記各押えローラ昇降手段及び前記各頁押え手段を制御する制御手段とを有し、前記制御手段は、前記回転駆動手段により前記２組の搬送兼めくりローラを同時に共通の一方向に回転させて、頁めくり方向と反対側の頁の端部が第１組の搬送兼めくりローラに挾持され、かつ、前記通帳の綴じ目が第２組の搬送兼めくりローラに挾持される状態になるまで搬送して停止し、第１組の搬送兼めくりローラの回転を継続させて前記通帳のめくられるべき頁を膨らませた後、第１組の搬送兼めくりローラに対応する頁押え手段を駆動させて前記通帳のめくられるべき頁側を前記搬送面に押圧させるとともに、第１組の搬送兼めくりローラに対応する押えローラ昇降手段により第１組の搬送兼めくりローラの押えローラを送りローラから離間させることにより前記めくられるべき頁を跳ね上げさせ、所定頁数のめくり動作を終了した後に、前記２組の搬送兼めくりローラを前記通帳の綴じ目が第１組の搬送兼めくりローラの方向に搬送されるように回転させる通帳処理装置である。
【手続補正３】
【補正対象書類名】明細書
【補正対象項目名】００２１
【補正方法】変更
【補正の内容】
【００２１】
これに対して、ステップ１０３において搬送エラーと判断しないときは、クラッチＣＬ１，ＣＬ２を同時にＯＮして（ｐ１０６）、めくりローラ４1 ，４2 を正転させて、搬送モータＭ２のステップ管理においてステップ数が所定値（Ｎ１）になるまで、取込まれた通帳をさらに機内方向に搬送させ、搬送ステップ数がＮ１になった時に、すなわち、正めくりの場合は、通帳のめくり頁の端部が第１組のめくりローラ４1 に挾持され、かつ、その通帳の綴じ目付近が第２組のめくりローラ４2 に挟持される状態になるまで搬送して、両搬送モータＭ１，Ｍ２を停止し（ｐ１０７）、引き続き、電磁クラッチＣＬ２をＯＦＦして、第２組のめくりローラ４2 に回転力が与えられないようにする（ｐ１０８）。図２（ａ）はこの状態を示している。
【手続補正４】
【補正対象書類名】明細書
【補正対象項目名】００２２
【補正方法】変更
【補正の内容】
【００２２】
続いて、ガイド板昇降駆動手段７のソレノイドＳＯＬ１及び第２組のめくりローラ４2 に対応する頁押え手段９2 のソレノイドＳＯＬ５をＯＮして、ガイド板５を退避位置に移動させるとともに、頁押え手段９2 の頁押え部材１３を搬送面を押圧する位置まで回動させて通帳の上頁側を押さえた（ｐ１０５）状態で、通帳取込みのための制御を終了し、図４に示すような、中紙正めくりのための制御が開始される。
【手続補正５】
【補正対象書類名】明細書
【補正対象項目名】００２５
【補正方法】変更
【補正の内容】
【００２５】
続いて、めくりモータＭ２が予め記憶部１７に設定されている扱きのための正転ステップ数Ｎ２、図示の例では２０ステップ正転させ（ｐ２０８）｛図２（ｂ１）参照｝、搬送による通帳の振動が治まるための微小時間ｔ３、例えば５０ｍｓ待った後（ｐ２０９）、同じく扱きのための逆転ステップ数Ｎ３、例えば１０ステップ逆転させ（ｐ２１０）｛図２（ｂ２）参照｝、その後同様の微小時間ｔ４、例えば５０ｍｓ待つ（ｐ２１１）。
次に、扱きカウンタのカウント値が“０”になったか否か、すなわち、扱き動作回数が所定回数に達し他か否かを判定し（ｐ２１２）、“０”になっていない場合は“１”を減じて（ｐ２１３）、“０”になるまでステップ２０８からステップ２１１までの動作を繰り返す。図示の例では、図２（ｂ１）（ｂ２），（ｂ１）…のように、扱き動作が５回行われる（図６参照）。
【手続補正６】
【補正対象書類名】明細書
【補正対象項目名】００２７
【補正方法】変更
【補正の内容】
【００２７】
そして、扱きカウンタの値が０になる（ｐ２１２でＹ）と、扱き動作が落ち着くまでの微小時間ｔ５、例えば５０ｍｓ待ち（ｐ２１４）、その後、ソレノイドＳＯＬ２をＯＮして、前記押えローラＢ１を送りローラＡ１から離間し（ｐ２１５）、その離間動作による振動が治まるまで、所定時間ｔ６、例えば５０ｍｓ待った後（ｐ２１６）、ソレノイドＳＯＬ２を再びＯＦＦする（ｐ２１７）。
ｐ２１５の押えローラの離間は、扱き動作によってもまだめくり頁に重なっている余分な頁がある場合に、中紙の弾性復元力により落下できるようにするためである。
【手続補正７】
【補正対象書類名】明細書
【補正対象項目名】００２９
【補正方法】変更
【補正の内容】
【００２９】
続いて、跳ね上げ制御の一部として、めくりモータＭ２を所定回転量Ｎ５、すなわち、膨らまさせた頁をその後端部が第１組のめくりローラの送りローラＡ１の上方に伸張させるに必要な回転量、例えば１００ステップ正転（ｐ２２１）させた後、所定時間ｔ８、例えば２００ｍｓ待機させる（ｐ２２２）。この第１組のめくりローラ４1 が静止している時間ｔ８の間に、膨らませ制御においてめくり頁に重なっていることがある余分な頁が自重により落下することが期待される。その後、ソレノイドＳＯＬ４をＯＦＦして第１組のめくりローラ４1 に対応する頁押え手段９1 の押え部材１３の通帳への押圧を解除し（ｐ２２３）、今度は、めくりモータＭ２を前記正転時と等しい回転量Ｎ６、例えば１００ステップ逆転させる（ｐ２２４）。自重により落下せずに最上の頁に付着している頁がある場合は、その頁は、このめくりモータＭ２の逆転による送りローラＡ１の逆転により確実に分離されて、搬送面側まで戻される。そして、逆転停止後の落ち着きを得るため、所定時間ｔ９、例えば５０ｍｓ待機する（ｐ２２５）。
【手続補正８】
【補正対象書類名】明細書
【補正対象項目名】００３３
【補正方法】変更
【補正の内容】
【００３３】
そして、所定頁までめくられた通帳に対して、図示されていない印字部及び／又は磁気記録部により所定の印字処理や磁気記録処理が終了すると、その終了信号に基づき、この通帳を挿入口１から機外に排出するため、図５に示すような排出制御が実行される。
すなわち、第２組のめくりローラ４2 に対応する頁押え手段９2 のソレノイドＳＯＬ５をＯＦＦして押え部材１３の押圧作用を解除するとともに、クラッチＣＬ２をＯＮし（ｐ３０１）、ガイド板昇降手段のソレノイドＳＯＬ１をＯＦＦして（ｐ３０２）、それまで退避位置に上昇されていたガイド板５を搬送面に近い案内位置に下降させた後、めくりモータＭ２及び搬送モータＭ１を所定時間、すなわち、通帳が挿入口１に排出されるまで逆転させて、通帳を排出する。
【手続補正９】
【補正対象書類名】明細書
【補正対象項目名】００３７
【補正方法】変更
【補正の内容】
【００３７】
請求項２の発明によれば、通帳のめくり頁の膨らませの際は、第１組の搬送兼めくりローラがめくり方向にのみ所定量回転され、通帳のめくり頁の跳ね上げをする際に、第１組の搬送兼めくりローラのめくり方向回転及び逆方向回転とを等回転量ずつ行うので、複数枚が膨らませられた場合に、２枚目以上の中紙は第１組の搬送兼めくりローラの方向に戻されるから、複数枚めくりが有効に防止される。
【手続補正１０】
【補正対象書類名】明細書
【補正対象項目名】図面の簡単な説明
【補正方法】変更
【補正の内容】
【図面の簡単な説明】
【図１】
本発明の通帳処理装置の要部の構成を概略的に示す構成図。
【図２】
同装置の通帳めくり機構による中紙正めくり動作の説明図。
【図３】
中紙正めくりモードを指定された場合の制御部による制御動作のうち、通帳取込みを説明するフローチャート。
【図４】
同じく、制御動作のうち、中紙正めくりを説明するフローチャート。
【図５】
同じく、制御動作のうち、通帳排出を説明するフローチャート。
【図６】
中紙めくり制御動作のタイミングチャートである。
【図７】
中紙逆めくりモードを指定された場合の制御部による制御動作のうち、通帳取込みを説明するフローチャート。
【図８】
同じく、制御動作のうち、中紙逆めくりを説明するフローチャート。
【図９】
同じく、制御動作のうち、通帳排出を説明するフローチャート。
【図１０】
先の提案に係る通帳処理装置におけるめくり動作の説明図。
【符号の説明】
Ｍ２，ＣＬ１，ＣＬ２    回転駆動手段
４1 ，４2   搬送兼めくりローラ（めくりローラ）
Ａ１，Ａ２  送りローラ
Ｂ１，Ｂ２  押えローラ
８1 ，８2   押えローラ昇降手段
９1 ，９2   頁押え手段
１６        制御部
１７        記憶部
【手続補正１１】
【補正対象書類名】図面
【補正対象項目名】図２
【補正方法】変更
【補正の内容】
【図２】
1999348453.tif 000001
【手続補正１２】
【補正対象書類名】図面
【補正対象項目名】図４
【補正方法】変更
【補正の内容】
【図４】
1999348453.tif 000002
【手続補正１３】
【補正対象書類名】図面
【補正対象項目名】図８
【補正方法】変更
【補正の内容】
【図８】
1999348453.tif 000003
【手続補正１４】
【補正対象書類名】図面
【補正対象項目名】図１０
【補正方法】変更
【補正の内容】
【図１０】
1999348453.tif 000004